(57)【特許請求の範囲】
【請求項１】
走行車（１）に装備する耕耘ロータリ作業機（８）の耕耘爪（２２）の前方に刃先を土中に突入させる切断刃（３１）を配備させ、進行方向に対し左右方向に直交させる回動支点軸（２８）を設け、該支点軸（２８）を中心として切断刃（３１）を上下回動自在に取付けて、上方位置に切断刃（３１）を収納可能に設ける耕耘装置において、切断刃（３１）の刃先（３１ａ）を収納隔離する刃保護体（４１）を、切断刃（３１）の上方収納位置に設けたことを特徴とする耕耘装置。
【発明の詳細な説明】
【０００１】
【産業上の利用分野】
本発明は耕耘作業中の走行車の走行速度を速くして耕耘ロータリ作業機による耕耘作業時間の短縮化を図るようにした耕耘装置に関する。
【０００２】
【従来の技術】
このような耕耘作業にあって走行速度のみを高速とした場合、耕耘ピッチが大となって残耕も増大するため、走行速度に応じ耕耘ロータリの回転数を増大させる手段があるが、この場合耕耘負荷を増大させて所要動力を大とさせる不都合がある。このため耕耘ロータリの回転数を一定回転数に抑えた状態で、爪軸１回転当りの爪本数を走行速度に応じた分増加させて、残耕を小さくすると共に、耕耘巾方向の耕耘爪の取付本数を低減させて、耕耘負荷が増大するのを防止して走行速度を安定維持させるようにした手段がある。
【０００３】
しかし乍らこの場合、耕耘ロータリの回転数を一定回転数に抑えた状態で、走行速度のみを高速とさせた作業のとき、耕耘ロータリのけん引抵抗を増大させて耕耘ロータリに上すべり現象を生起させ、耕耘ロータリ側を浮上がらせて耕耘深さを浅くするなどの問題が生じるため、刃先を土中に突入させる切断刃を耕耘ロータリの前方に設けて、耕耘ロータリの上すべり現象を防止するようにした手段がとられている。
【０００４】
【発明が解決しようとする課題】
しかし乍ら上記手段の場合、土が硬い硬質土の作業条件下では適正に対応した作業が行われるが、土が軟らかい軟弱土の作業条件下では、切断刃によって耕耘ロータリを適正耕耘深さ以上に沈み込ませる沈下現象を起生させるという問題がある。
【０００５】
【課題を解決するための手段】
したがって本発明は、走行車に装備する耕耘ロータリ作業機の耕耘爪の前方に刃先を土中に突入させる切断刃を配備させ、進行方向に対し左右方向に直交させる回動支点軸を設け、該支点軸を中心として切断刃を上下回動自在に取付けて、上方位置に切断刃を収納可能に設ける耕耘装置において、切断刃の刃先を収納隔離する刃保護体を、切断刃の上方収納位置に設けたもので、切断刃の使用或いは非使用時の取扱い操作性を向上させ、切断刃の非使用時における切断刃の安全保護を図ってこの耐久性と、作業者の安全性を向上させるものである。
【０００７】
【実施例】
以下、本発明の実施例を図面に基づいて詳述する。図１は切断刃の取付部の説明図、図２は全体の側面図、図３は同平面図であり、図中（１）は前後車輪（２）（３）及びエンジン（４）などを有する走行車であるトラクタで、運転席（５）前方に配設する操向ハンドル（６）の操作によって前輪（２）を方向転換させて車体の操向を行うように構成している。
【０００８】
図４乃至図５にも示す如く、トラクタ（１）に３点リンク機構（７）を介してサイドドライブ型の耕耘ロータリ作業機（８）を昇降自在に装着させるもので、中央にギアボックス（９）を配置し、ユニバーサルジョイント付ドライブ軸（１０）を介してトラクタ（１）のＰＴＯ軸（１１）に入力軸（１２）を連結して耕耘駆動力をギアボックス（９）に入力させている。
【０００９】
また、前記ギアボックス（９）側面より両側方にメインビーム（１３）を突出し、該ビーム（１３）のそれぞれの中途部に支持プレート（１４）を固設し、該支持プレート（１４）の前端には３点リンク機構（７）のロワリンク（１５）を枢結するピン（１６）を突設し、後端にはデプスフレーム（１７）の前端を枢支すると共に、ギヤボックス（９）上方のマスト（１８）前端に３点リンク機構（７）のトップリンク（１９）後端を連結させている。
【００１０】
さらに、前記ビーム（１３）の左外側端にチェンケース（２０）上部を固設し、該チェンケース（２０）下部に耕耘爪軸（２１）を横架し、該耕耘爪軸（２１）上にナタ爪よりなる多数の耕耘爪（２２）…を側面視で放射状に植設させると共に、該耕耘爪（２２）の回転軌跡上方をロータリカバー（２３）によって覆い、両側をサイドカバー（２４）によって覆っている。そして、該耕耘爪軸（２１）はギアボックス（９）内のギア、ビーム（１３）内の伝動軸、チェンケース（２０）内のスプロケット及びチェンを介して駆動し、耕耘爪（２２）…を回転させることによって耕耘を行うようにしている。
【００１１】
そして図６乃至図９にも示す如く、前記ビーム（１３）の左右両端前方に左右の第１プレート（２５）を固設し、該第１プレート（２５）前端にボルト（２６）を介して第２プレート（２７）を固定すると共に、前記第２プレート（２７）の先端に回動支点軸である６角軸（２８）を介して回動プレート（２９）を固定し、該回動プレート（２９）の先端側にボルト（３０）を介しバネ鋼製の切断刃（３１）基端を固定させて、切断刃（３１）の先端刃先（３１ａ）を適宜土中に突入させるように構成している。
【００１２】
図８にも示す如く、左右第２プレート（２７）の中間下側間に側面視山形状のカバー（３２）を一体連結させ、左右第２プレート（２７）の中間外側面に刃受プレート（３３）を固定させると共に、左右第２プレート（２７）の先端に６角パイプ（３４）を進行方向に対し左右横方向に挿設させ、６角パイプ（３４）の６角穴（３４ａ）を中心とした１２０度間隔の下動及び上動用の切欠き（３５）（３６）を第２プレート（２７）先端外周の円弧面に開設している。
【００１３】
また前記回動プレート（２９）は、６角穴（３４ａ）に挿入結合させる６角軸（２８）の略中間を、進行方向に対し左右に貫通させて直交状に基端に固設し、プレート（２９）と６角軸（２８）とを一体とさせたもので、６角軸（２８）は一端に大径の円形操作板（３７）を固設し、この反対側となるプレート（２９）より一定寸法（ｔ）以上の他端側を、前記６角穴（３４ａ）に遊嵌する丸軸（２８ａ）に形成すると共に、前記切欠き（３５）（３６）に係合させるロックピン（３８）を、プレート（２９）基端外周の円弧面に６角軸（２８）と平行に一定寸法（ｔ）だけ丸軸（２８ａ）側に突出して固定させている。
【００１４】
そして、前記切欠き（３５）（３６）とピン（３８）の対応位置で６角穴（３４ａ）に６角軸（２８）を挿入し、６角軸（２８）他端のバネ座（３９）と６角パイプ（３４）間に圧縮バネ（４０）を介設して、バネ（４０）力で第２プレート（２７）に回動プレート（２９）を摺接させるとき、６角パイプ（３４）に６角軸（２８）を結合保持して、切断刃（３１）を下方の作用位置及び上方の収納位置に位置固定させ、前記６角軸（２８）をバネ（４０）に抗して一定寸法（ｔ）以上６角パイプ（３４）より引出すとき、回動プレート（２９）を回動可能とさせて、作用位置及び収納位置の切換を自在とするように構成している。
【００１５】
図１にも示す如く、前記切断刃（３１）は上部（３１ｂ）を直線状に形成して上端側を前方に傾斜させ、その側面に前記ボルト（３０）の取付孔を開設すると共に、切断刃（３１）の中間部（３１ｃ）を後方に湾曲させて、この中間部（３１ｃ）を前記耕耘爪（２２）の回転軌跡（Ｌ）の前部内に臨ませると共に、下部先端側にかけ前方に若干傾斜させるように設けている。つまり、側面視において切断刃（３１）の中間部（３１ｃ）を回転軌跡（Ｌ）の前部でオーバーラップするように配置し、該切断刃（３１）下端を耕耘爪（２２）の回転軌跡（Ｌ）の前外側で下端よりも若干浮かせて配置している。
【００１６】
また、図５乃至図６に示す如く、切断刃（３１）を爪軸（２１）最外側の偏心爪（２２ａ）とこの内側の耕耘爪（２２）の間に配置して、耕耘爪軸（２１）を回転させた時に切断刃（３１）とこれら爪（２２）（２２ａ）を干渉させないように配置し、切断刃（３１）と爪（２２）（２２ａ）の間隔を狭くして残耕ができないように設けている。なお、切断刃（３１）はこれ以外の耕耘爪（２２ａ）間などに２本以上設ける構成でも良い。
【００１７】
一方、前記切断刃（３１）を上方の収納位置に位置固定させるとき、切断刃（３１）を周囲より隔離保護する背面視匚形状の刃保護体（４１）を第１プレート（２５）に設けるもので、前記保護体（４１）は反開口側の側面に固設するステー（４２）先端をボルト（４３）を介し第１プレート（２５）に固設して、前記ビーム（１３）略真上位置で６角軸（２８）の引出し方向に開口（４４）を臨ませる状態に保護体（４１）を配設して、前記切断刃（３１）を作用位置より２４０度上方に回動して収納状態とするとき、保護体（４１）の開口（４４）内に刃先（３１ａ）を収納して、この安全保護を図るように構成している。
【００１８】
ところで図１０に示す如く、該実施例にあっては前記耕耘爪（２２）は切り込んでから土を反転させるために先端部を右または左に交互に一定巾（略８０ｍｍ）湾曲させて弾性を有する構成とし、１８０°対向位置の耕耘爪（２２）の湾曲方向を右または左方向に同一とするように爪軸（２１）の同一断面に取付けられた４本のホルダー（２１ａ）に４本（爪軸（２１）１回転当りの爪本数同一方向に２本）の耕耘爪（２２）を装着させている。そして耕耘爪（２２）の回転半径（ａ）を略２４５ｍｍ程度とし、対向関係にある隣接の耕耘爪（２２）（２２）の基部間隔（Ｔ）を大きな間隙の５とするのに対し、先端爪軌跡（Ｌ）の間隙である間隔（ｔ）を略１（Ｔ：ｔ≒５：１）（Ｔ≒２００ｍｍ、ｔ≒４０ｍｍ）の割合に設けて、基部間隔（Ｔ）を大とさせ耕耘爪（２２）の取付本数を減少させることによって、所要動力の低減化を図って、同一動力での耕耘時余力分を速度に回して高速耕耘を可能とさせるように構成したものである。
【００１９】
つまり、前記耕耘爪（２２）は土を切取った後に掬取る形状に中間から先端側を側方に大きく湾曲させて、大きな湾曲巾（ｂ）（ｂ≒８０ｍｍ）の湾曲部（２２ａ）を有する変形し易い弾性爪に形成して、耕耘爪（２２）の土中打込み時において湾曲部（２２ａ）の水平分力により土を湾曲横方向に押移動させる力と、耕耘爪（２２）を土の抵抗負荷によって反湾曲方向に弾性変形させるときの横方向の反撥力とによって、掬取り土を図１０矢印の耕耘爪軸（２１）に略平行な横方向に押出す状態とさせて、対向する左右耕耘爪（２２）の先端軌跡（Ｌ）間に残耕として残る土部分を破砕して、残耕が形成されるのを効果的に防止するように構成したものである。
【００２０】
またこの場合切断終了地点近傍まで爪（２２）が回転して土の抵抗負荷が小となるとき、土壌に対する爪（２２）打込み時の弾性変形による復元弾性力によって残耕として残る土部分を横方向より破砕して、一層破砕効果を向上させるものである。そして残耕が残る状態で耕耘しながらも残耕を最小とさせる爪構成として、爪本数を低減可能とさせたものである。またこのような破砕が行われ難い後車輪（３）で踏み固められた通過跡にあっても、この通過跡に前記切断刃（３１）を配設することによって、爪（２２）による耕耘が行われる以前に前記切断刃（３１）の切り込みによってこの間隔（ｔ）の残耕部分の確実な破砕が予め行われて耕耘性能を一層向上させることができる。
【００２１】
本実施例は上記の如く構成するものにして、従来例えば爪軸（２１）１回転当りの爪本数を１本で、爪軸回転数略１７０ｒｐｍ、車速０．５ｍ／ｓの作業条件で行われる作業を、爪軸（２１）１回転当りの爪本数を２本として、爪軸回転数略１７０ｒｐｍ、車速１〜１．５ｍ／ｓの作業条件で行うもので、走行速度を従来の略２倍以上に高速化させて、作業能率を大巾に向上させるものである。
【００２２】
またこのような走行速度を高速化した場合、走行速度を高速とすればする程、ロータリ作業機（８）のけん引抵抗を増大させる状態とさせて、耕耘ロータリに上すべり現象を起生させて、作業機（８）を浮上らせようとするが、土中に突入する後退角（α）を有する前記切断刃（３１）移動時の下方向の力と、切断刃（３１）側面を土で圧接する力などが切断刃（３１）の抜出し抵抗力として作業機（８）の浮上りを防止する。
【００２３】
また、前記切断刃（３１）は土質の軟らかい軽負荷の土壌ではその都度取外すなどの手間の煩わしさなく、前記６角軸（２８）の引出し操作と切断刃（３１）の２４０度の回動操作とによって容易に上方に収納できるもので、図６の切断刃（３１）の作用状態より図７に示す如く、６角軸（２８）を所定寸法（ｔ）以上引出すとき、六角パイプ（３４）と６角軸（２８）の結合を解除すると同時に、第２プレート（２７）の下動用切欠き（３５）とロックピン（３８）の係合解除も行われて、丸軸（２８ａ）を中心とした切断刃（３１）の２４０度の回動が行われ、上動用切欠き（３６）位置にロックピン（３８）が一致するとき六角パイプ（３４）に６角軸（２８）も結合可能となって、前記刃受プレート（３３）に回動プレート（２９）の側面が当接するまで六角パイプ（３４）に６角軸（２８）の結合操作が行われる。この状態のとき切断刃（３１）の刃先（３１ａ）が保護体（４１）の開口（４４）内に入り込んで、保護体（４１）に収納されるもので、またこの収納の際第２プレート（２７）の取付ボルト（２６）と切断刃（３１）との干渉が刃受プレート（３３）によって回避される。
【００２４】
そして、作業中におけるトラクタ（１）のけん引反力や耕耘ロータリの耕耘反力などで切断刃（３１）に浮上り力など作用するとき、六角パイプ（３４）と６角軸（２８）のはめ合いによる結合によってこの切断刃（３１）の支持を強度良好なものにできる。
【００２５】
【発明の効果】
以上実施例から明らかなように本発明は、走行車（１）に装備する耕耘ロータリ作業機（８）の耕耘爪（２２）の前方に刃先を土中に突入させる切断刃（３１）を配備させ、進行方向に対し左右方向に直交させる回動支点軸（２８）を設け、該支点軸（２８）を中心として切断刃（３１）を上下回動自在に取付けて、上方位置に切断刃（３１）を収納可能に設ける耕耘装置において、切断刃（３１）の刃先（３１ａ）を収納隔離する刃保護体（４１）を、切断刃（３１）の上方収納位置に設けたもので、切断刃（３１）の使用或いは非使用時の取扱い操作性を向上させることができ、切断刃（３１）の非使用時における切断刃（３１）の安全保護が図れて、この耐久性と作業者の安全性を向上させることができるなどの顕著な効果を奏する。
【図面の簡単な説明】
【図１】切断刃取付部の側面説明図である。
【図２】全体の側面図である。
【図３】全体の平面図である。
【図４】耕耘ロータリ作業機の側面説明図である。
【図５】耕耘ロータリ部の背面説明図である。
【図６】切断刃取付部の正面説明図である。
【図７】切断刃取付部の動作説明図である。
【図８】切断刃部の分解説明図である。
【図９】切断刃の収納状態を示す説明図である。
【図１０】耕耘爪部の背面説明図である。
【符号の説明】
（１）    トラクタ（走行車）
（２８）  ６角軸（支点軸）
（３１）  切断刃
（４１）  刃保護体
【図１】
0003569350.tif 000002
【図２】
0003569350.tif 000003
【図３】
0003569350.tif 000004
【図４】
0003569350.tif 000005
【図５】
0003569350.tif 000006
【図６】
0003569350.tif 000007
【図７】
0003569350.tif 000008
【図８】
0003569350.tif 000009
【図９】
0003569350.tif 000010
【図１０】
0003569350.tif 000011